(57)【要約】イベントディスプレイ装置又はパネル１０８は、リアルタイムでの表示のため、テレビジョン又はセットトップボックスがデジタルブロードキャスト信号で実施された関心のある番組から分析したコンテンツを無線で受信する。別の実施の形態では、番組の現在のイベント又は現在の展開を表すコンテンツを分析することで、通知が形成され、通知は、装置での表示のために無線で送信される。
2008519525.tif 000002
【特許請求の範囲】
【請求項１】
コンシューマエレクトロにクス機器から無線送信で、デジタルテレビジョンについてブロードキャストされている番組の現在のイベントの少なくとも１つのそれぞれのタイプの発生の通知を受信し、受信された通知を表示し、リアルタイムで、前記番組の他の部分を伴わずに前記表示を実行するために構成される、コンシューマエレクトロニクスのイベントディスプレイ装置。
【請求項２】
前記無線送信は、４００メートルよりも少ないレンジを有する、
請求項１記載のイベントディスプレイ装置。
【請求項３】
前記少なくとも１つのそれぞれのタイプの現在のイベントのいずれかの発生が前記信号により通知されるかを判定するため、前記少なくとも１つのそれぞれのタイプの現在のイベントについて無線の到来信号をチェックするために更に構成される、
請求項１記載のイベントディスプレイ装置。
【請求項４】
メモリ及びユーザ入力ユニットを更に含み、受信された通知を保存するために構成されており、前記保存された情報は、前記ユーザ入力ユニットの動作に従って前記表示の結果として見ることができる、
請求項１記載のイベントディスプレイ装置。
【請求項５】
前記表示について前もってフォーマット化された前記通知を受信するために構成される、
請求項１記載のイベントディスプレイ装置。
【請求項６】
前記表示は、前記通知を伝達する信号により制御されるように構成される、
請求項１記載のイベントディスプレイ装置。
【請求項７】
請求項１記載のイベントディスプレイ装置を複数有するイベントディスプレイシステムであって、それぞれの装置は、少なくとも１つのそれぞれのタイプの現在のイベントの番組の発生の通知を無線かつ相応して受信するために構成される、
イベントディスプレイシステム。
【請求項８】
それぞれの装置は、現在のイベントの少なくとも１つのそれぞれのタイプの視聴者の認識を容易にするために成形及び／又は設計される、
請求項７記載のイベントディスプレイシステム。
【請求項９】
前記表示は、現在のイベントのそれぞれのタイプの視聴者の認識を容易にするため、成形及び／又は設計されるディスプレイから生じる、
請求項７記載のイベントディスプレイシステム。
【請求項１０】
前記無線送信は、４００メートルよりも少ないレンジを有する、
請求項７記載のイベントディスプレイ装置。
【請求項１１】
デジタルテレビジョンブロードキャスト信号でブロードキャストされた番組から少なくとも１つの現在のイベントを表すノンオーディオデータ、ノンビデオデータが埋め込まれる、前記デジタルテレビジョンブロードキャスト信号を受信し、前記データを分析し、分析されたデータから、前記イベントの通知を形成し、ディスプレイにリアルタイムで表示するために形成された通知を無線で送信するために構成されるコンシューマエレクトロニクス装置。
【請求項１２】
前記ディスプレイを制御するために構成される請求項１１記載の装置。
【請求項１３】
マスター／スレーブ実現において、マスターとして構成され、前記ディスプレイは、スレーブとして構成される、
請求項１２記載の装置。
【請求項１４】
前記ディスプレイは、前記装置は制御するために構成されるイベントディスプレイ装置に含まれる、
請求項１２記載の装置。
【請求項１５】
前記形成は前記ディスプレイで提供するために通知をフォーマット化することを含むように更に構成される、
請求項１１記載の装置。
【請求項１６】
アプリケーションマネージャが初期化、開始、停止、再開及び終了するために作用するアプリケーションにより、前記分析及び前記形成の少なくとも１つが実行される、
請求項１１記載の装置。
【請求項１７】
別の現在のイベントが前記信号で埋め込まれ、前記分析及び前記形成のうちの少なくとも１つは、別のアプリケーションにより前記別の現在のイベントについて実行される、
請求項１６記載の装置。
【請求項１８】
セットトップボックス及びテレビジョンのうちの少なくとも１つを有する、
請求項１１記載の装置。
【請求項１９】
デジタルテレビジョンについてブロードキャストされている番組の現在のイベントの少なくとも１つのそれぞれのタイプの発生の通知を、コンシューマエレクトロニクス装置から無線送信で受信するステップと、
受信された通知を表示するステップとを含み、
前記表示は、リアルタイムで、前記番組の他の部分を伴わずに実行される、通知方法。
【請求項２０】
コンシューマエレクトロニクス装置により、デジタルテレビジョンブロードキャスト信号でブロードキャストされた番組から少なくとも１つの現在のイベントを表すノンオーディオデータ、ノンビデオデータが埋め込まれる、前記デジタルテレビジョンブロードキャスト信号を受信するステップと、
前記データを分析するステップと、
分析されたデータから、前記少なくとも１つの現在のイベントの通知を形成するステップと、
ディスプレイにリアルタイムで表示するために形成された通知を無線で送信するステップと、
を含む通知の準備方法。
【請求項２１】
イベントディスプレイ装置用のコンピュータソフトウェアプロダクトであって、
前記装置は、プロセッサにより読み取り可能な媒体を含み、
前記プロダクトは、前記媒体にあって、
デジタルテレビジョンについてブロードキャストされている番組の現在のイベントの少なくとも１つのそれぞれのタイプの発生の通知を、コンシューマエレクトロニクス装置から無線送信で受信し、
受信された通知を表示することを含む動作を実行するために実行可能な命令を含み、
前記表示は、リアルタイムで、前記番組の他の部分を伴わずに実行される、
コンピュータソフトウェアプロダクト。
【請求項２２】
コンシューマエレクトロニクス装置用のコンピュータソフトウェアプロダクトであって、
前記装置は、プロセッサにより読み取り可能な媒体を含み、
前記プロダクトは、前記媒体にあって、
前記コンシューマエレクトロニクス装置により、デジタルテレビジョンブロードキャスト信号でブロードキャストされた番組から少なくとも１つの現在のイベントを表すノンオーディオデータ、ノンビデオデータが埋め込まれる、前記デジタルテレビジョンブロードキャスト信号を受信し、
前記データを分析し、
分析されたデータから、前記少なくとも１つの現在のイベントの通知を形成し、
ディスプレイにリアルタイムで表示するために形成された通知を無線で送信することを含む動作を実行するために実行可能な命令を含むコンピュータソフトウェアプロダクト。
【請求項２３】
デジタルテレビジョンブロードキャスト信号の一部で、前記デジタルテレビジョンブロードキャスト信号でブロードキャストされた特定の番組からのコンテンツを有するデジタルテレビジョンブロードキャスト信号を受信し、前記一部で前記コンテンツは前記信号における電子番組ガイドと一致せず、
前記コンテンツを分析し、
受信装置によるリアルタイムでの表示のために分析されたコンテンツを無線で送信する、
ために構成されたコンシューマエレクトロニクス装置。
【請求項２４】
前記分析されたコンテンツは、前記番組における現在の展開を含む、
請求項２３記載の装置。
【発明の詳細な説明】
【技術分野】
【０００１】
本発明は、現在のテレビ番組内でのイベントの通知に関し、特に、ディスプレイに通知を無線で送信することに関する。
【背景技術】
【０００２】
視聴者は、番組を視聴することができない時間の間に、テレビ番組における現在の展開を見失わないようにすることを望むことがある。たとえば、親戚又は友人が訪問に来た場合、ホストはテレビをオンにすることが消極的ではあるが、関心のあるテレビにおいて生じたとき、彼又は彼女はイベントに関して即座に知りたい場合がある。現在ブロードキャストされている、１以上のスポーツイベントが存在する場合がある。または、特定のローカリティにおける現在の天気、現在の株価、又はニュースヘッドラインに関心がある場合がある。
【発明の開示】
【発明が解決しようとする課題】
【０００３】
テレビをオンにする必要なしに、この情報を提供するために専用とされるディスプレイを有することが望まれる。  
【課題を解決するための手段】
【０００４】
好ましくは、ディスプレイは、ポータブルであり、無線による受信用に機器構成されている。信号は、テレビジョン又はセットトップボックスから送信することができる。したがって、ディスプレイの機能が低減され、ディスプレイをシンプルに、軽量に、及び、所望の視聴の方向に容易に操作しやすく保持する。それぞれのディスプレイは、１以上のそれぞれの用途を提供するためにコンフィギュア又はセットされる。あるディスプレイは、たとえば、スポーツ又は特定のスポーツに専用とされる。ディスプレイの画像の形状、又はディスプレイ自身の形状は、対応する用途の視聴者の即座の認識を容易にするために配置されることが好ましい。したがって、たとえば、サッカーゲームのアップデート又は現在のイベントに専用とされるディスプレイは、サッカーボールのような計上とすることができる。幾つかの実施の形態では、無線受信装置は、情報の表示に限定されていない。代わりに、装置は、ブロードキャスト信号から導出されたオーディオ又はスチルピクチャを表示することができる。１以上の無線受信装置又はディスプレイは、ユーザの敷地全体にわたって部屋に配置される。  
本明細書で開示される発明の詳細は、以下の添付図面により記載される。
【発明を実施するための最良の形態】
【０００５】
図１は、本発明に係るイベントディスプレイシステム１００の概観を例示により示す。イベントディスプレイシステム１００は、デジタルレシーバ１０４及び１以上のイベントディスプレイパネル又は装置１０８を含む。デジタルレシーバ１０４は、テレビジョン又はセットトップボックスのようなコンシューマエレクトロニクス装置であり、デジタルテレビジョンブロードキャスト信号１１２を受信する。かかる信号の１例は、インタラクティブデジタルＴＶ向けの信号であり、リターニングコンテンツ等を変更するコマンド又は問合せを送出するインタラクティブゲームを通して、ユーザの対話的な参加を提供する。
【０００６】
デジタルレシーバ１０４は、表示されるか、さもなければ提供されるべき情報を導出するために到来する信号１１２をフィルタリングするアプリケーションソフトウェア１１６を含む。デジタルレシーバ１０４及び到来する信号１１２は、ＭＨＰ（Multimedia  Home  Platform）又はＯＣＡＰ（Open  Cable  Application  Platform）のようなＤＴＶ（Digital  TV）規格に準拠することが好ましい。アプリケーションソフトウェア１１６は、アプリケーションマネージャ１２０及びＸＬＥＴアプリケーション１２４を含む。アプリケーションマネージャ１２０は、ＸＬＥＴアプリケーション１２４のライフサイクルを密接に監視し、ＸＬＥＴアプリケーションを初期化、開始、停止、再開及び終了する。したがって、たとえば、ストックのチッカーバーといった、あるイベントディスプレイ装置１０８のアプリケーション１２４が実行されており、それぞれの装置の他のアプリケーションは、ローカルウェザーマップのスチルピクチャを捕捉する場合、アプリケーションマネージャ１２４は、強制的に、１以上のアクティブアプリケーションに、システム１００を過負荷にしないように停止又は終了させる。それぞれＸＬＥＴアプリケーションは、ビットストリーム１２８を形成するために１以上のそれぞれのタイプの情報をフィルタリングする。ビットストリーム１２８は、イベントディスプレイ装置１０８による受信のために、アンテナ１３０によるデジタルレシーバ１０４から無線で送信される。送信は、登場してきたＺｉｇｂｅｅ規格のような無線周波数（ＲＦ）である場合がある。代替的に、たとえば、送信をＩｒＤＡ（Infrared  Data  Association）の下で赤外線とするか、Bluetooth送信とすることができる。３つの規格のそれぞれは、その送信レンジに関してそれぞれ上限と下限を有する。Zigbeeの上限は、３００メートルにまで延びる、３のうちの最大である。赤外線が利用された場合、図１に示されるアンテナ間のコンフィギュレーションは、それぞれのエミッタとそれぞれのピックアップの間のサイトのラインを必要とする、エミッタ−ピックアップ間のアレンジメントにより典型的に置き換えられる。
【０００７】
それぞれのイベントディスプレイ装置１０８は、ディスプレイ１３２を含み、アンテナ１３６、メモリ１４０、及びボタン又は他のユーザ入力制御若しくはアクチュエータ１４４を更に含む。例として、入力制御は、タッチスクリーンにより供給される場合がある。送信された情報１２８は、アンテナ１３６により受信される。ディスプレイ１３２は、プロセッサ（図示せず）を含んでおり、ストリーム１２８における１以上のフィールドをチェックし、その装置１０８での表示のために送信が意図されているかが判定される。到来するデータがディスプレイに意図される場合、到来するデータは表示され、さもなければ、到来するデータは無視されるか、廃棄される。到来するデータのある部分、好ましくは表示される部分は、メモリ１４０に保存される。ユーザは、ボタン１４４を適切に動作させることで保存されたデータをブラウジング又はナビゲートする。イベントディスプレイ装置１０８は、スレーブとして、マスター／スレーブの関係において、マスターとしてのデジタルレシーバ１０４と動作することが好ましい。したがって、たとえば、デジタルレシーバ１０４は、表示用にデータをフォーマット化し、イベントディスプレイ装置１０８での情報の表示を制御する。
【０００８】
イベントディスプレイシステム１００の先の説明は、限定するものではない。たとえば、イベントディスプレイ装置１０８には、メモリ１４０又はボタン１４４が設けられている必要はなく、データをブラウジングする手段が設けられている必要がない。さらに、デジタルレシーバ１４４における情報のフィルタリングは、図示される特定のアプリケーションソフトウェアアーキテクチャを必要とせず、公知及び適切な手段により、ソフトウェアとハードウェアとの組み合わせで実現することができる。テレビジョン又はセットトップボックス１０４の機能及びアーキテクチャは公知であるので、更なる説明において不要な詳細は省略される。また、イベントディスプレイ装置１０８は、図１に示される構造に限定されない。
【０００９】
図２は、イベントディスプレイシステム１００内の機能及び構造の更なる例示的な詳細を示す。到来するブロードキャスト信号１１２は、オーディオ２０２、ビデオ２０４及びデータ２０６コンポーネントを有するとして図２に示されており、図２におけるこれらのコンポーネントの順序は単なる一例である。制御情報（図示せず）は、典型的に信号１１２に含まれる。ＸＬＥＴアプリケーションのようなアプリケーション２０８は、信号１１２を受け、パーサ２１０、並びに、データ及びスクリーンフォーマッタ２１２を含む。チューナ（図示せず）は、はじめに信号１１２を受け、所望のチャネルに同調させる。パーサ２１０は、信号１１２においてブロードキャストされた番組から少なくとも１つの現在のイベントを表すノンオーディオデータ、ノンビデオデータを分離するためにチャネルを通してフィルタリングする。チームＡとＢの間のサッカーの試合では、現在のスコア２１４は、現在のイベントのうちの１つを表すデータである。ユーザは、スコアが変わるたびに、又は２つのチームのスコア間の差が予め決定された閾値を超えるたびにスコアを見ようとする。ユーザは、テレビジョン又はセットトップボックス１０４へのユーザインタフェース（図示せず）を介して、所望のチャネル、ゲーム、スコア捕捉基準及び他のパラメータを選択するか、さもなければ指定する。代替的に、又は更に、イベントディスプレイ装置１０８のボタン１４４及びディスプレイ１３２は、この目的のために使用される。番組から現在のイベントを表すデータ２１６の別の例は、プレーヤＺがけがをした場合である。データ及びスクリーンフォーマッタ２１２は、フィルタリングされたデータ２１４，２１６からイベントディスプレイ装置１０８へのその後の送信についてのイベント通知を導出する。したがって、たとえば、装置２１８のスクリーンフィールドのうちの１つが「勝利チーム」である場合、フォーマッタ２１２は、２つのチームのうちのどちらが勝利したかをゲームスコア２１４から導出し、表示のためにチームの名前を選択する。フォーマッタ２１２は、適切なスクリーンフィールドにゲームスコア２１４を配置する。好適な実施の形態では、イベントディスプレイ装置２１８への送信は、既にスクリーンフォーマット化されている。
【００１０】
イベントディスプレイ装置２１８に提供されている画像、好ましくは、装置自身は、表示されるデータのタイプの視聴者の認識を容易にするために成形され、及び／又は設計される。イベントディスプレイ装置２１８は、サッカーボールのように成形され、ゲーム２２０に残される時間の通知、チームＡ２２２、チームＢ２２４、ゲームスコア２１４を構成する２つのチームの現在のスコア２２６，２２８、及び現在の展開の情報２３０、すなわち怪我をしたプレーヤＺ、及びプレーヤＸが得点したアナウンスメントを表示する。サッカーゲームの先の例では、ゲームは、情報が表示のために分析されることになる関心のある番組である。ここで、ある番組と、ブロードキャスト信号１１２内で実施されるＥＰＧ（Electric  Programming  Guide）との間で区別がなされる。ＥＰＧは、典型的に番組のスケジュールであり、かかるように、本発明の態様では、表示のために無線で送信されている現実の番組コンテンツに付随している。かかる態様によれば、関心のある番組のオーディオトラック、又は番組からのスチルピクチャは、分析され、無線受信装置１０８にリアルタイムで与えられる。
【００１１】
別のＸＬＥＴアプリケーション２３２は、そのアーキテクチャ（図示せず）がアプリケーション２０８のそれに同一であることが好ましく、アプリケーション２０８により捕捉及び送信されたタイプとは異なる現在のイベントのタイプを捕捉及び送信する。後者のアプリケーション２０８は、サッカーゲームにおいて特殊化され、前者のアプリケーション２３２は、テニスゲームにおいて特殊化される。したがって、それぞれのイベントディスプレイ装置２３４は、テニスラケットのように成形される。スクリーンフィールドは、プレーヤ２３６，２３８、スコア２４０，２４２及び情報２４４について１つ含んでおり、ここでは、プレーヤＹが彼又は彼女の相手のサービスをブレイクしたことを示している。
【００１２】
２つのアプリケーション２０８、２３２は、システムリソースの制約に基づいてアプリケーションマネージャ１２０による判定に従って、同時に、一般的に同期に実行する場合がある。  
単一のアプリケーションは、両方のアプリケーション２０８，２３２の機能を想定し、「スポーツディスプレイ」の制御を想定する。  
さらに、単一のアプリケーションは、ユーザの敷地における異なる部屋が同じディスプレイを有するときとして、１を超えるイベントディスプレイ装置２１８を駆動する。
【００１３】
図３は、デジタルレシーバ１０４とイベントディスプレイ装置１０８との間の無線送信について例示的なフォーマット３１０を示す。イベントデータ３２０は、制御データ３３０で分散される。制御データ３３０は、スクリーンフィールドのアップデートのタイミング、及び／又は様々なスクリーンフィールドへのイベントデータの割り当てを制御する。制御データ３３０は、スクリーンフィールドのタイプ、及びそれらのオンスクリーンでの配置における動的な変化を制御する。代替的に、これら制御機能の一部又は全部は、ディスプレイ１３２におけるプロセッサにより想定される。
【００１４】
本発明の好適な実施の形態と考えられる形態を図示及び記載してきたが、形式又は詳細における様々な変更及び変化は、本発明の精神から逸脱することなしに容易になすことができることを理解されたい。たとえば、イベントディスプレイ装置１０８及びセットトップボックスは、ボタン１４４によりブロードキャストプロバイダとの通信を可能にするように更に構成される。このように、教育の番組を視聴している間、子供が文字及び形状に関するゲームを対話的に行うことができる。したがって、本発明は、記載及び例示された正確な形式に限定されるべきではなく、特許請求の範囲に含まれる全ての変更をカバーするとして解釈される。
【図面の簡単な説明】
【００１５】
【図１】例示的なイベントディスプレイシステムの概観を示すブロック図である。
【図２】図１におけるデジタルレシーバ及びイベントディスプレイ装置を更に詳細に示す概念図である。
【図３】デジタルレシーバとイベントディスプレイ装置との間の無線送信ストリームの可能性のあるフォーマットを示す図である。
【図１】
2008519525.tif 000003
【図２】
2008519525.tif 000004
【図３】
2008519525.tif 000005
【国際調査報告】
2008519525.tif 000006
2008519525.tif 000007